【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
光を光電変換して電荷を生成する第１光電変換部と第２光電変換部と第３光電変換部と第４光電変換部と、
前記第１光電変換部で生成された電荷を転送する第１転送部と、前記第２光電変換部で生成された電荷を転送する第２転送部と、前記第３光電変換部で生成された電荷を転送する第３転送部と、前記第４光電変換部で生成された電荷を転送する第４転送部と、
前記第１光電変換部と前記第２光電変換部と前記第３光電変換部と前記第４光電変換部との間に設けられ、電荷を蓄積する蓄積部と、
を備える撮像素子。
【請求項２】
請求項１に記載の撮像素子において、 
前記蓄積部は、前記第１光電変換部および前記第３光電変換部と、前記第２光電変換部および前記第４光電変換部との間に設けられる、
撮像素子。
【請求項３】
請求項１または２に記載の撮像素子において、
前記第１光電変換部および前記第３光電変換部は第１方向に設けられ、
前記第２光電変換部および前記第４光電変換部は前記第１方向に設けられ、
前記第１光電変換部および前記第２光電変換部は前記第１方向と交差する第２方向に設けられ、
前記第３光電変換部および前記第４光電変換部は前記第２方向に設けられ、
前記第１転送部および前記第３転送部は前記第１方向に並んで設けられ、
前記第２転送部および前記第４転送部は前記第１方向に並んで設けられ、
前記第１転送部および前記第２転送部は前記第２方向に並んで設けられ、
前記第３転送部および前記第４転送部は前記第２方向に並んで設けられる、
撮像素子。
【請求項４】
請求項３に記載の撮像素子において、
前記第１光電変換部、前記蓄積部および前記第２光電変換部は前記第２方向に順に並んで設けられ、
前記第３光電変換部、前記蓄積部および前記第４光電変換部は前記第２方向に順に並んで設けられる、
撮像素子。
【請求項５】
請求項３または４に記載の撮像素子において、
前記第１転送部、前記蓄積部および前記第２転送部は前記第２方向に順に並んで設けられ、
前記第３転送部、前記蓄積部および前記第４転送部は前記第２方向に順に並んで設けられる、
撮像素子。
【請求項６】
請求項１から５のいずれか一項に記載の撮像素子において、
電荷に基づくアナログ信号を出力するトランジスタを備え、
前記蓄積部は前記トランジスタのゲート電極である、
撮像素子。
【請求項７】
請求項１から６のいずれか一項に記載の撮像素子において、
前記第１光電変換部および前記第２光電変換部および前記第３光電変換部および前記第４光電変換部で生成された電荷に基づくアナログ信号を参照信号と比較する比較部と、前記比較部での比較結果に基づいてデジタル信号を記憶する記憶部とを有するAD変換部と、を備え、
前記蓄積部は、前記アナログ信号が前記比較部に入力される入力部である、
撮像素子。
【請求項８】
請求項７に記載の撮像素子において、 
前記比較部は、前記第１光電変換部および前記第３光電変換部と、前記第２光電変換部および前記第４光電変換部との間に設けられる、
撮像素子。
【請求項９】
請求項７または８に記載の撮像素子において、
前記第１光電変換部および前記第２光電変換部および前記第３光電変換部および前記第４光電変換部および前記比較部は、第１基板に設けられ、
前記記憶部は、前記第１基板に積層される第２基板に設けられる、
撮像素子。
【請求項１０】
請求項７から９のいずれか一項に記載の撮像素子において、
前記デジタル信号に基づいて焦点検出を行う焦点検出部を備える、撮像素子。
【請求項１１】
請求項１から１０のいずれか一項に記載の撮像素子において、
前記第１転送部を制御するための第１制御線と、前記第２転送部を制御するための第２制御線と、前記第３転送部を制御するための第３制御線と、前記第４転送部を制御するための第４制御線と、
を備える撮像素子。
【請求項１２】
請求項１から１１のいずれか一項に記載の撮像素子を備える、撮像装置。
【手続補正２】
【補正対象書類名】明細書
【補正対象項目名】００８２
【補正方法】変更
【補正の内容】
【００８２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順序で実施することが必須であることを意味するものではない。
［項目１］
複数の光電変換部を含む画素部を有する撮像部と、
上記撮像部から出力されるデジタル信号を処理する信号処理部と、
上記撮像部に配置され、参照レベルと、上記画素部において光電変換された電荷量に応じて生成される出力信号の信号レベルとを比較して上記デジタル信号を出力する差動コンパレータと、
を備える撮像ユニット。
［項目２］
上記差動コンパレータは、
第１入力部および第２入力部を有し、
上記差動コンパレータは、上記第１入力部および上記第２入力部に入力される信号の信号レベルの比較結果に応じた上記デジタル信号を出力し、
上記画素部は、上記第１入力部および上記第２入力部の一方に上記出力信号を入力し、他方に上記参照レベルの信号を入力する、
項目１に記載の撮像ユニット。
［項目３］
上記画素部は、上記出力信号の信号レベルが、上記差動コンパレータにおいて上記参照レベルと比較される、第１の光電変換部および第２の光電変換部を有し、
上記差動コンパレータが上記第１の光電変換部の信号レベルを上記参照レベルと比較する場合、上記画素部は、上記第１入力部に上記第１の光電変換部の出力信号を入力し、かつ、上記第２入力部に参照レベルを入力し、
上記差動コンパレータが上記第２の光電変換部の信号レベルを上記参照レベルと比較する場合、上記画素部は、上記第２入力部に上記第２の光電変換部の出力信号を入力し、かつ、上記第１入力部に参照レベルを入力する、
項目２に記載の撮像ユニット。
［項目４］
上記画素部は、
上記第１の光電変換部を上記第１入力部に接続するか否かを切り替える、第１の転送トランジスタと、
上記第２の光電変換部を上記第２入力部に接続するか否かを切り替える、第２の転送トランジスタと、
上記参照レベルを上記第１入力部に入力するか否かを切り替える、第１の切替トランジスタと、
上記参照レベルを上記第２入力部に入力するか否かを切り替える、第２の切替トランジスタと、
を更に有する、
項目３に記載の撮像ユニット。
［項目５］
ランプ波形を有する参照レベルおよびパルス波形を有するリセットレベルを順次生成するデジタルアナログ変換部を更に備え、
上記第１の切替トランジスタは、上記第１入力部に上記第１の光電変換部を接続する前に、上記第１入力部と上記第１の転送トランジスタとの間の配線に上記リセットレベルを入力し、
上記第２の切替トランジスタは、上記第２入力部に上記第２の光電変換部を接続する前に、上記第２入力部と上記第２の転送トランジスタとの間の配線に上記リセットレベルを入力する、
項目４に記載の撮像ユニット。
［項目６］
上記画素部は、
上記出力信号の信号レベルが、上記差動コンパレータにおいて上記参照レベルと比較される、第３の光電変換部および第４の光電変換部と、
上記第３の光電変換部に蓄積された電荷を上記第１入力部に出力する第３の転送トランジスタと、
上記第４の光電変換部に蓄積された電荷を上記第２入力部に出力する第４の転送トランジスタと、
を更に有する、
項目５に記載の撮像ユニット。
［項目７］
上記画素部は、
上記第１の転送トランジスタと上記第１入力部との間に設けられ、上記第１の転送トランジスタから転送された電荷を上記第１入力部に出力するか否かを切り替える第５の転送トランジスタと、
上記第２の転送トランジスタと上記第２入力部との間に設けられ、上記第２の転送トランジスタから転送された電荷を上記第２入力部に出力するか否かを切り替える第６の転送トランジスタと、
を更に有し、
上記第１の転送トランジスタと上記第２の転送トランジスタとは同時にオンされる、
項目４に記載の撮像ユニット。
［項目８］
上記第１の光電変換部と上記第３の光電変換部とは、第１方向に並んで設けられ、
上記第２の光電変換部と上記第４の光電変換部とは、上記第１方向に並んで設けられ、
上記第１の光電変換部と上記第２の光電変換部とは、上記第１方向に垂直な第２方向に並んで設けられ、
上記第１の光電変換部と上記第２の光電変換部とに共通に設けられるマイクロレンズをさらに有する、
項目６に記載の撮像ユニット。
［項目９］
上記差動コンパレータは、上記第１の光電変換部と上記第２の光電変換部との間に設けられる、項目３から８のいずれか一項に記載の撮像ユニット。
［項目１０］
上記信号処理部は、
上記第１の光電変換部の信号レベルと上記参照レベルとを比較した結果である第１のデジタル信号と、上記第２の光電変換部の信号レベルと上記参照レベルとを比較した結果である第２のデジタル信号とが切り替えて入力されるラッチ部を有する、
項目３から９のいずれか一項に記載の撮像ユニット。
［項目１１］
上記撮像部と上記信号処理部とは、光軸方向において少なくとも一部が重ねて設けられ、バンプを通じて互いに電気的に接続される、項目１から１０のいずれか一項に記載の撮像ユニット。
［項目１２］
項目１から１１のいずれか一項に記載の撮像ユニットを備える、撮像装置。
【手続補正３】
【補正対象書類名】明細書
【補正対象項目名】発明の名称
【補正方法】変更
【補正の内容】
【発明の名称】撮像素子および撮像装置